(57)【特許請求の範囲】
【請求項１】
光を透過する円筒状カバー内に長手方向へ延びる支持体が設けられ、該支持体に多数のＬＥＤが長手方向に配列して取り付けられている直管蛍光灯型ＬＥＤランプであって、
前記支持体は、中空形状であり、前記円筒状カバーの内側底部に設けられ長手方向へ延びる幅狭の支持脚部と、該支持脚部に連設され断面山形に形成された２つの傾斜支持板とを有しており、前記各傾斜支持板に多数のＬＥＤが長手方向に配列して取り付けられ、
前記２つの傾斜支持板を含む前記支持体の両側部及び前記支持脚部の両側面と、前記円筒状カバーの内側壁面との間に空所部が形成され、
前記支持脚部の幅が、前記円筒状カバーの直径に対して１０％〜２０％であることを特徴とする看板用直管蛍光灯型ＬＥＤランプ。
【請求項２】
前記円筒状カバーが難燃性ポリカーボネートで構成され、前記支持体がアルミニウム合金の型材により構成されていることを特徴とする請求項１記載の看板用直管蛍光灯型ＬＥＤランプ。
【請求項３】
前記２つの傾斜支持板が、鋭角の断面山形状に形成されていることを特徴とする請求項
１又は２記載の看板用直管蛍光灯型ＬＥＤランプ。
【発明の詳細な説明】
【技術分野】
【０００１】
本発明は、光源にＬＥＤ（発光ダイオード）を利用した直管蛍光灯型ＬＥＤランプに関し、特に光源と照射面（広告面板）とが接近している看板の表示ランプに適している看板用直管蛍光灯型ＬＥＤランプに関するものである。
【背景技術】
【０００２】
従来、消費電力が極めて小さく、寿命の長い光源としてＬＥＤを利用した照明灯、表示灯は、種々のタイプのものが知られている。また、既存の直管蛍光灯に代えて使用を可能とした直管蛍光灯型ＬＥＤランプについても種々提案されている（特許文献１〜４参照）。
【０００３】
上記特許文献１〜４等に開示されている直管蛍光灯型ＬＥＤランプはいずれも一般の照明用であり、光を透過する円筒状カバー内に長手方向へ延びる支持体が設けられ、該支持体に多数のＬＥＤが長手方向に配列して取り付けられている。ＬＥＤ単体の光量不足を補うため多数のＬＥＤをライン状に配置しているのであるが、ＬＥＤの光域が狭いため、特許文献１，２に記載のＬＥＤランプでは、前記支持体を断面山形状にして２つの傾斜支持面に多数のＬＥＤを２列に配置することで、光量の不足を補うと共に、光域を広げて広範囲を照明できるようにしている。
【０００４】
このような従来の直管蛍光灯型ＬＥＤランプは、天井から２ｍ〜３ｍ下方に向けて照射する一般の照明用としては実用に供し得るものであるが、例えば矩形状の看板本体枠内に設置して表面の広告面板（通常、アクリル樹脂製の乳白色である）に照射する看板用表示ランプとして使用する場合には、次のような不都合がある。
【０００５】
前記支持体が前記円筒状カバーの下半部分を塞いでいるので、該円筒状カバーを通じて照射される照射範囲が狭ばめられ、光源と看板の広告面板との間が１０ｃｍ〜２０ｃｍと接近している看板用ランプとして、前記広告面板を広範囲に、かつ均等に照射することが困難である。照射が下方に向かう一方向で、距離がある一般照明用としては使用上、あまり影響はないが、光源が接近している看板の広告面板に対してはできるだけ広範囲に、かつ均等に照射することが求められるからである。
【０００６】
また、上記従来の直管蛍光灯型ＬＥＤランプは、前記支持体が前記円筒状カバーの内側壁面に密着又は近接しているため、ＬＥＤの駆動ロスとして発生する熱の放熱の点で問題がある。
【発明の概要】
【発明が解決しようとする課題】
【０００７】
本発明は、上記事情に鑑みて、看板用の光源として適した直管蛍光灯型ＬＥＤランプを提供することを目的としている。
【課題を解決するための手段】
【０００８】
上記課題を解決するために、本発明に係る看板用直管蛍光灯型ＬＥＤランプは、光を透過する円筒状カバー内に長手方向へ延びる支持体が設けられ、該支持体に多数のＬＥＤが長手方向に配列して取り付けられている直管蛍光灯型ＬＥＤランプであって、前記支持体は、中空形状であり、前記円筒状カバーの内側底部に設けられ長手方向へ延びる幅狭の支持脚部と、該支持脚部に連設され断面山形に形成された２つの傾斜支持板とを有しており、前記各傾斜支持板に多数のＬＥＤが長手方向に配列して取り付けられ、前記２つの傾斜支持板を含む前記支持体の両側部及び前記支持脚部の両側面と、前記円筒状カバーの内側壁面との間に空所部が形成され、前記支持脚部の幅が、前記円筒状カバーの直径に対して１０％〜２０％であることを特徴とする。
【０００９】
前記円筒状カバーは難燃性ポリカーボネートで構成され、前記支持体はアルミニウム合金の型材により構成されることが好ましい。
【００１０】
また、前記２つの傾斜支持板は、鋭角の断面山形に形成されることが望ましい。
【発明の効果】
【００１１】
本発明に係る看板用直管蛍光灯型ＬＥＤランプは、円筒状カバー内に設置され、多数のＬＥＤを取り付ける前記支持体が、前記円筒状カバーの内側底部に設けられ長手方向へ延びる幅狭の支持脚部と、該支持脚部に連設され、断面山形に形成された２つの傾斜支持板とを有しており、前記各傾斜支持板に多数のＬＥＤが長手方向に配列して取り付けられているから、前記ＬＥＤから放射される光は、前記円筒状カバーの上方向及び両横方向へ照射されると共に、前記円筒状カバーの内側壁面で乱反射し、一方、前記２つの傾斜支持板を含む前記支持体の両側部及び幅狭の前記支持脚部の両側面と、前記円筒状カバーの内側壁面との間に空所部が形成されていることにより、乱反射した光が前記空所部を通じて前記円筒状カバーの内側下側部から前記支持脚部の両側まで広い範囲に亘って照射される。特に、前記２つの傾斜支持板が鋭角の断面山形に形成されていると、両傾斜支持板に配列して取り付けた前記ＬＥＤの照射範囲が広くなるので効果的である。
【００１２】
したがって、このような構成を有する本発明の直管蛍光灯型ＬＥＤランプを看板枠体内に適当数設置して、各ＬＥＤランプが前記看板枠体に取り付けたアクリル樹脂製の広告面板に対して１０ｃｍ〜２０ｃｍと接近して配置される使用状態において、前記ＬＥＤランプの照射範囲が広いので、前記広告面板全体を均等に、かつ、明るく照射することができる。
【００１３】
また、前記支持体と前記円筒状カバーとの間に空所部が存在することで、全体の放熱面積が大きくなり、前記ＬＥＤの駆動ロスにより発生する熱を効果的に放出させることができる。特に、前記支持体をアルミニウム合金の型材によって中空体に形成すると、軽量化と同時に放熱効率を大幅に向上させることができる。
【図面の簡単な説明】
【００１４】
【図１】本発明に係る看板用直管蛍光灯型ＬＥＤランプの一実施例を示す平面図である。
【図２】同上側面図である。
【図３】図１の３−３線に沿う断面拡大図である。
【図４】図１の４−４線に沿う断面拡大図である。
【図５】同上看板用直管蛍光灯型ＬＥＤランプを取付け金具に装着した状態を示す一部切欠き側面図である。
【図６】同上看板用直管蛍光灯型ＬＥＤランプを使用した片面表示看板を示す説明図である。
【発明を実施するための形態】
【００１５】
以下、本発明を図面に示す実施例に基づいて説明する。
【００１６】
図１及び図２は、本発明に係る看板用直管蛍光灯型ＬＥＤランプの実施の一形態を示しており、該ＬＥＤランプ１は、光を透過する円筒状カバー２内に長手方向へ延びる支持体３が設けられ、該支持体３に多数のＬＥＤ４が長手方向に配列して取り付けられ、円筒状カバー２の両端開口部に口金５，５が嵌合される構成は、従来の直管蛍光灯型ＬＥＤランプと共通しており、また、各口金５に２本の端子６，６が設けられている点も同様である。
【００１７】
円筒状カバー２は、既存の直管蛍光灯と同じように難燃性ポリカーボネートで製造されるが、図３に示されているように、底部（後述する取付け金具２０の本体シャーシ２１に対向する側面部）の内側壁面に長手方向へ延びる２本の係止突条７，７が突設され、両係止突条７，７の間に支持体３を係合して保持する蟻溝状の係合溝８が形成されている。
【００１８】
支持体３は、図３及び図４に示すように、円筒状カバー２の底部に沿って長手方向へ延びる幅狭の支持脚部１０と、該支持脚部１０に連設され上拡がりに延びる両側板１１，１１と、該両側板１１，１１に連設された断面山形の２つの傾斜支持板１２，１２とから形成された中空体で、支持脚部１０の両端部に口金５に取付け固定するためのビス穴１３，１３が設けられている。このような形状を有する支持体３は、アルミニウム合金の型材により一体成形され、中空体として軽量化を図ると共に、表面積を大きくして放熱効果を高めた構造となっている。また、支持脚部１０は、下端両側縁に突設した係止突部１４，１４を有し、両係止突部１４，１４を円筒状カバー２の係合溝８に係合して、支持体３が円筒状カバー２に組み付けられ、組み付け状態において、支持体３の両側部、すなわち両側板１１，１１、両傾斜支持板１２，１２の両側面及び支持脚部１０の両側面と、円筒状カバー２の内側壁面との間に空所部１５が形成されている。該空所部１５は、後述するＬＥＤ４から放射される光が円筒状カバー２の内側壁面に乱反射して円筒状カバー２をできるだけ広範囲に亘って照射可能にするためには広い空間とすることが望ましい。このため、支持脚部１０を幅狭な構成にしているが、図示の実施形態では、強度を考慮して支持脚部１０の横幅Ａは円筒状カバー２の直径に対して１０％〜２０％の寸法に設定されている。なお、支持体３の形状は、図示した実施形態の形状に限定されるものではなく、幅狭の支持脚部１１に連設された２つの傾斜支持板１２，１２が横方向へ拡がる断面山形であれば、傘形、きのこ形、その他種々の形状とすることも可能である。
【００１９】
一方、支持体３の２つの傾斜支持板１２，１２には、多数のＬＥＤ４を配列した２枚の基板１６，１６が取付け固定される。各ＬＥＤ４から放射される光が円筒状カバー２内の広い範囲を照射するには、２つの傾斜支持板１２，１２の山形断面は鋭角であることが望ましく、図示の実施形態では約６０度に設定されている。
【００２０】
上記のように多数のＬＥＤ４を装着した支持体３がその支持脚部１０を円筒状カバー２の係合溝８に係合して円筒状カバー２に組み付けられると、円筒状カバー２の両端開口部に口金５を嵌装して、図４に示すように、止めビス１７でスペーサ１８を介して支持体３と口金５とが連結固定される。そして、口金５の端子６，６が両基板１６，１６を介して各ＬＥＤ４と電気的に接続され、本発明の看板用直管蛍光灯型ＬＥＤランプ１が完成する。
【００２１】
上記構成を備えた本発明の看板用直管蛍光灯型ＬＥＤランプ１は、図５に示すように、取付け金具２０の本体シャーシ２１の両端に装着したソケット２２，２２（図５には一方のソケット２２が示されている）に両金口５，５の端子６，６を嵌合して、支持脚部１０が本体シャーシ２１に対向する姿勢で取付け金具２０に取り付けられ（図６参照）、本体シャーシ２１に附設した電源部（安定器）２３に電気的に接続される。また、本体シャーシ２１には複数のＬＥＤランプ１を電気的に接続する接続端子台２４が附設されている
。
【００２２】
取付け金具２０に取り付けられたＬＥＤランプ１は、図６に示すように、看板枠体３０内に設置して使用される。看板枠体３０は、矩形状の本体枠３１の一側面にアクリル樹脂製の広告面板３２を設けて形成されている。本体枠３１は金属板、プラスチック材、木材等で構成されていて、広告面板３２に対向位置する底板３３にＬＥＤランプ１を組み付けた取付け金具２０の本体シャーシ２１を固定して、ＬＥＤランプ１が看板枠体３０内に設置される。このように看板枠体３０内に設置されたＬＥＤランプ１は、広告面板３２に対して１０ｃｍ〜２０ｃｍの近距離に接近して位置するけれども、通常、広告面板３２はアクリル樹脂製で浮白色を呈しているから、ＬＥＤランプ１の点灯粒は看板枠体３０の外側からはほとんど見えない。また、看板枠体３０内に設置するＬＥＤランプ１は、広告面板３２の大きさに合わせて適当本数（図示の実施例では２本）を所定間隔を隔てて設けて、広告面板３２全体を均一に、かつむら無く照射することが望ましい。
【００２３】
上記のように看板枠体３０内に設置されたＬＥＤランプ１は、前述したように各ＬＥＤランプ４から放射される光が円筒状カバー２の上方向及び両側方向へ照射されると共に、円筒状カバー２の内側壁面で乱反射し、しかも、２つの傾斜支持板１２，１２を含む支持体３の両側部及び幅狭の支持脚部１０の両側面と、円筒状カバー２の内側壁面と間に空所部１５が形成されているので、乱反射した光が該空所部１５を通じて円筒状カバー２の下側部から支持脚部１０の両側まで広い範囲に亘って照射される。したがって、各ＬＥＤランプ１の照射範囲が広くなり、広告面板３２全体をむら無く、かつ明るく照射することができる。
【００２４】
また、支持体３と円筒状カバー２との間に空所部１５が存在することで、ＬＥＤランプ１全体の放熱面積が大きくなり、ＬＥＤの発熱を効果的に放出させることができ、放熱性の点でもすぐれている。
【産業上の利用可能性】
【００２５】
本発明の看板用直管蛍光灯型ＬＥＤランプは、特に片面看板の表示ランプとして好適である。
【符号の説明】
【００２６】
１  看板用直管蛍光灯型ＬＥＤランプ
２  円筒状カバー
３  支持体
４  ＬＥＤ（発光ダイオード）
５  口金
６  端子
７，７  係止突条
８  係止溝
１０  支持脚部
１２  傾斜支持板
１３  ビス穴
１４  係止突部
１５  空所部
１６  基板
１７  ビス
２０  取付け金具
２１  本体シャーシ
２２  ソケット
２３  電源部（安定器）
２４  接続端子台
３０  看板枠体
３１  本体枠
３２  広告面板
３３  底板
【先行技術文献】
【特許文献】
【００２７】
【特許文献１】特開２００７−２８０７３９号公報
【特許文献２】実用新案登録第３１３９７１４号公報
【特許文献３】特許第４３２８３７９号公報
【特許文献４】特開２０１０−１６５６７号公報
【図１】
0005717095.tif 000002
【図２】
0005717095.tif 000003
【図３】
0005717095.tif 000004
【図４】
0005717095.tif 000005
【図５】
0005717095.tif 000006
【図６】
0005717095.tif 000007